【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
フレキシブルＴＤＤ  ＵＬ−ＤＬ（Ｔｉｍｅ  Ｄｉｖｉｓｉｏｎ  Ｄｕｐｌｅｘ  Ｕｐｌｉｎｋ−Ｄｏｗｎｌｉｎｋ）構成をサポートする無線通信システムでのＰＨＩＣＨ（Ｐｈｙｓｉｃａｌ  Ｈ−ＡＲＱ  Ｉｎｄｉｃａｔｏｒ  Ｃｈａｎｎｅｌ）リソース割り振りの方法であって、
異なるＴＤＤ  ＵＬ−ＤＬ構成が取得可能であると共に、前記フレキシブルＴＤＤ構成に従って動作する第１のＵＥ（Ｕｓｅｒ  Ｅｑｕｉｐｍｅｎｔｓ）により用いられる前記ＴＤＤ  ＵＬ−ＤＬ構成は、長期ＴＤＤ  ＵＬ−ＤＬ構成に従って動作する第２のＵＥにより用いられる前記ＴＤＤ  ＵＬ−ＤＬ構成と異なっていてもよく、
無線フレームの所定のサブフレームについて、
前記サブフレームは、第１のＵＥで用いられる前記ＴＤＤ  ＵＬ−ＤＬ構成及び第２のＵＥで用いられる前記ＴＤＤ  ＵＬ−ＤＬ構成の両方のＤＬサブフレームではないことを判定し、
前記サブフレームは、第１のＵＥで用いられる前記ＴＤＤ  ＵＬ−ＤＬ構成のＤＬサブフレームであるが、第２のＵＥで用いられる前記ＴＤＤ  ＵＬ−ＤＬ構成のＵＬサブフレームでもあることを判定し、
第１のＵＥで用いられる前記ＴＤＤ  ＵＬ−ＤＬ構成に適用可能なＬＴＥタイミング規則に従ってＰＨＩＣＨリソースを割り振ることを含む、
ＰＨＩＣＨリソース割り振りの方法。
【請求項２】
前記所定のサブフレームは、第１のＵＥで用いられる前記ＴＤＤ  ＵＬ−ＤＬ構成及び第２のＵＥで用いられる前記ＴＤＤ  ＵＬ−ＤＬ構成の両方のＤＬサブフレームであることを判定し、
ＰＨＩＣＨリソースが、前記所定のサブフレームについて第２のＵＥにより要求されていないことを判定し、
前記サブフレームにＰＨＩＣＨリソースを割り振らないことを更に含む、
請求項１に記載のＰＨＩＣＨリソース割り振りの方法。
【請求項３】
前記所定のサブフレームについて、
第１のＵＥによりＰＨＩＣＨリソースが要求されていることを判定し、
送信ＰＵＳＣＨ  ＨＡＲＱ−ＡＣＫ又は残りのＰＵＳＣＨ  ＨＡＲＱ−ＡＣＫに必要な前記ＰＨＩＣＨリソースを算出し、
ｅＰＨＩＣＨ  ＩＥが取得可能かつ使用可能であればｅＰＨＩＣＨ  ＩＥを経由して、ｅＰＨＩＣＨ  ＩＥが取得可能ではないか又は使用可能でなければＵＬグラントを経由して、その送信のために前記ＰＨＩＣＨリソースを割り振ることを更に含む、
請求項２に記載のＰＨＩＣＨリソース割り振りの方法。
【請求項４】
前記所定のサブフレームについて、ＰＨＩＣＨリソースが第２のＵＥにより要求されていることを判定し、
第１のＵＥにより前記ＰＨＩＣＨリソースが要求されていないことを判定し、
第２のＵＥで使用される前記ＴＤＤ  ＵＬ−ＤＬ構成に適用可能な前記ＬＴＥタイミング規則に従って前記ＰＨＩＣＨリソースを割り振ることを更に含む、
請求項２に記載のＰＨＩＣＨリソース割り振りの方法。
【請求項５】
前記所定のサブフレームについて、ＰＨＩＣＨリソースが第１のＵＥにより要求されていることを判定し、
第２のＵＥにより要求されている前記ＰＨＩＣＨリソースは第１のＵＥにより要求されている前記ＰＨＩＣＨリソース以上であることを判定し、
第２のＵＥにより要求されている前記ＰＨＩＣＨリソースは第１のＵＥにより要求されている前記ＰＨＩＣＨリソース以下であることを判定し、
第２のＵＥで使用される前記ＴＤＤ  ＵＬ−ＤＬ構成に適用可能な前記ＬＴＥタイミング規則に従って前記ＰＨＩＣＨリソースを割り振ることを更に含む、
請求項４に記載のＰＨＩＣＨリソース割り振りの方法。
【請求項６】
第２のＵＥにより要求されている前記ＰＨＩＣＨリソースが、前記所定のサブフレームについて第１のＵＥにより要求されている前記ＰＨＩＣＨリソースより大きいことを判定し、
第２のＵＥで使用される前記ＴＤＤ  ＵＬ−ＤＬ構成に適用可能な前記ＬＴＥタイミング規則に従って前記ＰＨＩＣＨリソースを割り振り、
第１のＵＥのためにＩＰＨＩＣＨ＝１の前記ＰＨＩＣＨリソースを割り振ることを更に含む、
請求項５に記載のＰＨＩＣＨリソース割り振りの方法。
【請求項７】
第２のＵＥにより要求されている前記ＰＨＩＣＨリソースが、前記所定のサブフレームについて第１のＵＥにより要求されている前記ＰＨＩＣＨリソース未満であることを判定し、
第２のＵＥで使用される前記ＴＤＤ  ＵＬ−ＤＬ構成に適用可能な前記ＬＴＥタイミング規則に従って前記ＰＨＩＣＨリソースを割り振り、
第２のＵＥのＰＵＳＣＨ  ＨＡＲＱ−ＡＣＫタイミングに連携したＰＵＳＣＨ  ＨＡＲＱ−ＡＣＫタイミングを有する関連ＵＬサブフレームのためのＨＡＲＱ−ＡＣＫを提供するために第１のＵＥに前記ＰＨＩＣＨリソースを割り振ることを更に含む、
請求項５に記載のＰＨＩＣＨリソース割り振りの方法。
【請求項８】
前記所定のサブフレームについて、
第１のＵＥの送信ＰＵＳＣＨ  ＨＡＲＱ−ＡＣＫ又は残りのＰＵＳＣＨ  ＨＡＲＱ−ＡＣＫに必要な前記ＰＨＩＣＨリソースを算出し、
ｅＰＨＩＣＨ  ＩＥが取得可能かつ使用可能であればｅＰＨＩＣＨ  ＩＥを経由して、ｅＰＨＩＣＨ  ＩＥが取得可能ではないか又は使用可能でなければＵＬグラントを経由して、その送信のために前記ＰＨＩＣＨリソースを割り振ることを更に含む、
請求項７に記載のＰＨＩＣＨリソース割り振りの方法。
【請求項９】
フレキシブルＴＤＤ  ＵＬ−ＤＬ構成をサポートする無線通信システムで動作可能な基地局であって、
異なるＴＤＤ  ＵＬ−ＤＬ構成が取得可能であると共に、前記フレキシブルＴＤＤ構成に従って動作する第１のＵＥにより用いられる前記ＴＤＤ  ＵＬ−ＤＬ構成は、長期ＴＤＤ  ＵＬ−ＤＬ構成に従って動作する第２のＵＥにより用いられる前記ＴＤＤ  ＵＬ−ＤＬ構成と異なっていてもよく、
請求項１に記載されたＰＨＩＣＨリソース割り振りの方法を実行することができる、
基地局。
【請求項１０】
フレキシブルＴＤＤ  ＵＬ−ＤＬ構成をサポートする無線通信システムのＰＵＳＣＨ  ＨＡＲＱ−ＡＣＫ及びＰＨＩＣＨシグナリングについての第１のＵＥとしての使用が可能な移動端末であって、
異なるＴＤＤ  ＵＬ−ＤＬ構成が取得可能であると共に、前記フレキシブルＴＤＤ構成に従って動作する前記第１のＵＥにより用いられる前記ＴＤＤ  ＵＬ−ＤＬ構成は、長期ＴＤＤ  ＵＬ−ＤＬ構成に従って動作する第２のＵＥにより用いられる前記ＴＤＤ  ＵＬ−ＤＬ構成と異なっていてもよく、
前記第１のＵＥで用いられる前記ＴＤＤ  ＵＬ−ＤＬ構成の無線フレームの所定のフレキシブルＤＬサブフレームについて、
前記第２のＵＥで用いられる前記ＴＤＤ  ＵＬ−ＤＬ構成の対応するサブフレームがＤＬサブフレームでないことを判定し、
前記第１のＵＥで用いられる前記ＴＤＤ  ＵＬ−ＤＬ構成の前記所定のＤＬサブフレームが、第１のＵＥのためにＰＵＳＣＨ  ＨＡＲＱ−ＡＣＫを伝達するものであることを判定し、
第１のＵＥで用いられる前記ＴＤＤ  ＵＬ−ＤＬ構成に適用可能なＬＴＥタイミング規則に従ってＰＨＩＣＨ割り振りをモニタリングする、
移動端末。
【手続補正２】
【補正対象書類名】明細書
【補正対象項目名】発明の名称
【補正方法】変更
【補正の内容】
【発明の名称】ＰＨＩＣＨリソース割り振り方法、基地局及び移動端末